(57)【特許請求の範囲】
【請求項１】
カメラ調整機構であって、
第１端部と、第２端部と、前記第１端部と前記第２端部との間に延在し前記第１端部と前記第２端部とをつないでいる第１の壁であって、前記第１端部の内径が前記第２端部の内径より大きくなるように傾斜した第１の壁と、を含む第１の部分と、
前記第２端部に接続される第３端部と、第４端部と、前記第３端部と前記第４端部との間に延在し前記第３端部と前記第４端部とをつないでいる第２の壁と、前記第４端部に沿って延びる複数の係合開口部と、を含む第２の部分と、
前記第１端部に沿って周方向に配置された複数のグリップと、
を含む、カメラ調整機構。
【請求項２】
前記複数の係合開口部のそれぞれは、
前記第４端部から前記第３端部の方に延びる第１ノッチと、
前記第４端部から前記第３端部の方に延びる第２ノッチと、
前記第４端部から前記第３端部の方に延びる第３ノッチであって、前記第１ノッチと前記第２ノッチの周方向の間に配置された第３ノッチと、
を含む、請求項１に記載のカメラ調整機構。
【請求項３】
前記第３ノッチは、前記第１ノッチまたは前記第２ノッチのいずれかの軸方向長さより長い軸方向長さを有する、請求項２に記載のカメラ調整機構。
【請求項４】
前記第４端部の端は、前記第１の壁と同じ方向に傾斜している、請求項１に記載のカメラ調整機構。
【請求項５】
前記第１の部分を通した視野は、約９０度と１１０度の間である、請求項１に記載のカメラ調整機構。
【請求項６】
前記第２の壁の外縁に沿って周方向に配置された肩部を、
さらに含む、請求項１に記載のカメラ調整機構。
【請求項７】
航空機監視システムであって、
壁内に取り付けられた少なくとも１つのカメラカップと、
前記少なくとも１つのカメラカップ内に移動可能に配置された少なくとも１つのカメラハウジングであって、内面と、外面と、周縁部と、該カメラハウジングの前記内面に沿って配置された複数の突起部と、を含む、少なくとも１つのカメラハウジングと、
前記少なくとも１つのカメラハウジング内に取り付けられた少なくとも１つのカメラと、
前記少なくとも１つのカメラの視野の向きを合わせることができるカメラ調整機構であって、
第１端部と、第２端部と、前記第１端部と前記第２端部との間に延在し前記第１端部と前記第２端部とをつないでいる第１の壁と、を含む第１の部分と、
前記第２端部に接続される第３端部と、第４端部と、前記第３端部と前記第４端部との間に延在し前記第３端部と前記第４端部とをつないでいる第２の壁と、前記第４端部に沿って延びる複数の係合開口部であって、前記複数の突起部に係合するように構成された係合開口部と、を含む第２の部分と、を含むカメラ調整機構と、
を備える、航空機監視システム。
【請求項８】
前記複数の突起部のそれぞれは、
第１のポストと、
第２のポストと、
前記第１のポストと前記第２のポストの間に配置された第３のポストと、
を含み、
前記第３のポストは、前記第１のポストまたは前記第２のポストのいずれかより長い軸方向長さを有する、請求項７に記載の航空機監視システム。
【請求項９】
前記複数の係合開口部のそれぞれは、
前記第４端部から前記第２の壁内に延びる第１ノッチと、
前記第４端部から前記第２の壁内に延びる第２ノッチと、
前記第４端部から前記第２の壁内に延びる第３ノッチであって、前記第１ノッチと前記第２ノッチの周方向の間に配置される第３ノッチと、
を含む、請求項８に記載の航空機監視システム。
【請求項１０】
前記複数の係合開口部は、前記複数の突起部と噛み合う、請求項９に記載の航空機監視システム。
【請求項１１】
前記第１の壁は、前記第１端部の内径が前記第２端部の内径より大きくなるように傾斜した壁である、請求項７に記載の航空機監視システム。
【請求項１２】
前記カメラ調整機構が前記カメラハウジングと係合した時、前記第１の部分を通した前記少なくとも１つのカメラの視野は、約９０度より大きい、請求項１１に記載の航空機監視システム。
【請求項１３】
前記カメラ調整機構が前記カメラハウジングと係合した時、前記第１の部分を通した前記少なくとも１つのカメラの視野は、約９０度と約１１０度の間である、請求項１２に記載の航空機監視システム。
【請求項１４】
前記カメラ調整機構は、前記第２の壁の外縁に沿って周方向に配置された肩部を
さらに備える、請求項７に記載の航空機監視システム。
【請求項１５】
前記カメラ調整機構は、前記第１端部に沿って周方向に配置された複数のグリップを、
さらに備える、請求項７に記載の航空機監視システム。
【請求項１６】
航空機の客室監視システムのカメラ調整方法であって、
カメラの最初の向きを確認することと、
前記カメラ調整機構の遠位端に沿って周方向に配置された複数の係合ノッチと、前記カメラハウジングの内面に沿って周方向に配置された複数の係合ポストを、位置合わせすることと、
前記複数の係合ノッチを前記複数の係合ポストに噛み合わせることと、
前記カメラの最初の向きを好ましいカメラの向きに調整することと、
を含む、方法。
【請求項１７】
前記カメラの最初の向きを確認することは、
前記カメラの垂直方向及び水平方向の位置合わせを確認することと、
前記カメラの回転方向の位置合わせを確認することと、
をさらに含む、請求項１６に記載の方法。
【請求項１８】
前記カメラの向きを好ましいカメラの向きに調整することは、
垂直方向または水平方向に前記カメラ調整機構を移動させて、前記カメラの垂直方向及び水平方向の位置合わせを補正することと、
前記カメラ調整機構の軸を中心に前記カメラ調整機構を回転させて、前記カメラの前記回転方向の位置合わせを補正することと、
をさらに含む、請求項１６に記載の方法。
【請求項１９】
カメラ調整機構であって、
第１端部と、第２端部と、前記第１端部と前記第２端部との間に延在し前記第１端部と前記第２端部とをつないでいる第１の壁であって、前記第１端部の内径が前記第２端部の内径より大きくなるように傾斜した第１の壁と、を含む第１の部分と、
前記第２端部に接続される第３端部と、第４端部と、前記第３端部と前記第４端部との間に延在し前記第３端部と前記第４端部とをつないでいる第２の壁と、前記第４端部に沿って延びる複数の係合開口部と、を含む第２の部分と、
前記第２の壁の外縁に沿って周方向に配置された肩部と、
を含む、カメラ調整機構。
【請求項２０】
前記第１端部に沿って周方向に配置された複数のグリップ
をさらに含む、請求項１９に記載のカメラ調整機構。
【請求項２１】
前記複数の係合開口部のそれぞれは、
前記第４端部から前記第３端部の方に延びる第１ノッチと、
前記第４端部から前記第３端部の方に延びる第２ノッチと、
前記第４端部から前記第３端部の方に延びる第３ノッチであって、前記第１ノッチと前記第２ノッチの周方向の間に配置された第３ノッチと、
を含む、請求項１９に記載のカメラ調整機構。
【請求項２２】
前記第４端部の端は、前記第１の壁と同じ方向に傾斜している、請求項１９に記載のカメラ調整機構。
【請求項２３】
前記第１の部分を通した視野は、約９０度と１１０度の間である、請求項１９に記載のカメラ調整機構。
【発明の詳細な説明】
【技術分野】
【０００１】
本開示は、一般的に監視システムに関し、より詳細には、監視システム内のカメラの向きを合わせることに関する。
【背景技術】
【０００２】
航空機監視システム等の監視システムは、航空機の壁パネル内に取り付けられたカメラを利用する。カメラは、カメラハウジング内に収容され、カメラハウジングは、カメラカップ内にはめ込まれる。カメラカップは、リテーナクリップによって航空機のパネル内に取り付けられる。カメラ及びカメラハウジングは、航空機のセキュリティシステムや電子システムが稼働する前に、航空機のパネル内に最初に取り付けられる。このため、カメラが最初に送信するビューは、垂直方向、水平方向、または、回転方向の位置合わせが最適でない場合がある。航空機のセキュリティシステムと電子システムの稼働後、所望のビューを送信するようにカメラを調整しなければならない。カメラハウジングが航空機の振動によりカメラカップ内で移動し得るので、カメラは、カメラ寿命の間ずっと調整する必要がある。カメラハウジングは、カメラカップによって壁パネル内に固定されているので、ユーザがカメラのビューを調整するためにカメラハウジングにアクセスするのは容易ではない。従って、カメラハウジングを調整することによって、カメラの向きを調整する調整ツールが必要である。
【発明の概要】
【課題を解決するための手段】
【０００３】
本開示の実施形態によると、カメラ調整機構は、第１の部分と第２の部分を含む。第１の部分は、第１端部と、第２端部と、第１端部と第２端部の間に延在し第１端部と第２端部をつないでいる第１の壁と、を含む。第１の壁は、第１端部の内径が第２端部の内径より大きくなるように傾斜している。第２の部分は、第２端部に接続される第３端部と、第４端部と、第３端部と第４端部の間に延在し第３端部と第４端部をつないでいる第２の壁と、第４端部に沿って延びる複数の係合開口部と、を含む。
【０００４】
本開示の別の実施形態によると、監視システムは、壁内に取り付けられた少なくとも１つのカメラカップと、少なくとも１つのカメラカップ内に移動可能に配置された少なくとも１つのカメラハウジングと、少なくとも１つのカメラハウジング内に取り付けられた少なくとも１つのカメラと、少なくとも１つのカメラの視野の向きを合わせることができるカメラ調整機構と、を備える。カメラハウジングは、内面と、外面と、周縁部と、カメラハウジング内面に沿って配置された複数の突起部と、を含む。カメラ調整機構は、第１の部分と第２の部分とを含む。第１の部分は、第１端部と、第２端部と、第１端と第２端部との間に延在し第１端と第２端部とをつないでいる第１の壁と、を含む。第２の部分は、第２端部に接続される第３端部と、第４端部と、第３端部と第４端部との間に延在し第３端部と第４端部をつないでいる第２の壁と、第４端部に沿って延びる複数の係合開口部と、を含む。複数の係合開口部は、複数の突起部と係合するように構成される。
【０００５】
本開示のさらに別の実施形態によると、航空機の客室監視システムのカメラ調整の方法は、カメラの最初の向きを確認することと、カメラ調整機構の遠位端に沿って配置された複数の係合ノッチとカメラハウジングの内面に沿って配置された複数の係合ポストとの位置を合わせることと、複数の係合ノッチと複数の係合ポストとを噛み合わせることと、カメラの最初の向きを好ましいカメラの向きに調整することと、を含む。
【図面の簡単な説明】
【０００６】
【図１】カメラ調整機構とカメラハウジングの分解斜視図である。
【図１Ａ】図１のＡ―Ａの線に沿ったカメラ調整機構の断面図である。
【図２】カメラハウジングと係合したカメラ調整機構の断面図である。
【図３】係合開口部の平面図である。
【発明を実施するための形態】
【０００７】
図１は、カメラ調整機構１０とカメラハウジング１２との分解斜視図である。カメラ調整機構１０は、第１の部分１４と第２の部分１６を含む。第１の部分１４は、第１端部１８と、第２端部２０と、第１の壁２２と、グリップ２４と、を含む。第２の部分１６は、第３端部２６と、第４端部２８と、第２の壁３０と、係合開口部３２と、肩部３４と、を含む。係合開口部３２は、第１ノッチ３６と、第２ノッチ３８と、第３ノッチ４０と、を含む。カメラハウジング１２は、内壁４２と、外壁４４と、突起部４６と、周縁部４８と、溝５０と、を含む。突起部４６は、第１のポスト５２と、第２のポスト５４と、第３のポスト５６と、を含む。
【０００８】
グリップ２４は、第１端部１８の外縁に沿って周方向に延在する。第１の壁２２は、第１端部１８と第２端部２０の間に延在し第１端部１８と第２端部２０をつないでいる。第２端部２０は、第３端部２６に接続されて、第１の部分１４と第２の部分１６を接続する。第２の壁３０は、第３端部２６と第４端部２８との間に延在し第３端部２６と第４端部２８をつないでいる。肩部３４は、第２の壁３０の外縁に沿って周方向に延在している。係合開口部３２は、第４端部２８に沿って配置される。
【０００９】
カメラハウジング１２は、開口端を有し、ほぼ半球形である。溝５０は、周縁部４８近くで内壁４２に沿って延びる。溝５０は、レンズキャップにスナップフィット接続を提供して、レンズキャップをカメラハウジング１２に取り付ける。突起部４６は、内壁４２に沿って配置される。第１のポスト５２、第２のポスト５４、及び、第３のポスト５６は、それぞれ、内壁４２に取り付けられ、カメラハウジング１２の開口端から軸方向に延在する。
【００１０】
カメラハウジング１２は、航空機客室のセキュリティシステムで用いられるセキュリティカメラ等のカメラ５８を収容するように構成される。カメラ５８は、軸Ｃに沿ってカメラハウジング１２内に配置され、カメラハウジング１２の開口端の方に突出している。運転中、カメラハウジング１２がカメラカップ（図２に示す）内でドリフトすなわち移動するのを防ぎながら、カメラハウジング１２は、デカルト座標系の全体にわたって調整されて、カメラ５８の向きを合わせることができる。最初、カメラ５８とカメラハウジング１２がカメラカップに取り付けられる時には、カメラ５８は、電源が入っていない。従って、セキュリティシステムを作動させた後、カメラ５８の向きを合わせる必要がある。カメラ調整機構１０は、カメラカップが受ける振動と、カメラハウジング１２とカメラカップとの摩擦嵌めによって、カメラ５８の向きが変わる時、再度、カメラ５８の向きを合わせることもできる。
【００１１】
カメラハウジング１２は、カメラ調整機構１０を用いて調節され、カメラ５８の向きを適切に合わせる。セキュリティシステムが作動され、カメラ５８からのビューがユーザに送信される。ユーザは、カメラハウジング１２からレンズキャップを外し、カメラ調整機構１０をカメラハウジング１２に挿入する。第１ノッチ３６が第１のポスト５２を受け入れ、第２ノッチ３８が第２のポスト５４を受け入れ、第３ノッチ４０が第３のポスト５６を受け入れて、各係合開口部３２は、突起部４６と噛み合う。図示の実施形態においては、第３ノッチ４０は、第１ノッチ３６と第２ノッチ３８よりも軸方向に長い。第３のポスト５６は、第１のポスト５２及び第２のポスト５４に比べて、第３端部２６の方に軸方向にオフセットされているので、第３ノッチ４０の方が軸方向に長いことによって、第３ノッチ４０は第３のポスト５６（図１に示す）に係合することができる。
【００１２】
係合開口部３２は、第１ノッチ３６、第２ノッチ３８、及び、第３ノッチ４０を含むとして記載しているが、係合開口部３２は、ノッチのない長方形の開口部または共通の係合開口部のない一連のノッチ等、突起部４６と噛み合う任意の適切な形態を採ってよいことは理解されよう。さらに、第３ノッチ４０は、第１ノッチ３６及び第２ノッチ３８より軸方向に長いとして記載しているが、第１ノッチ３６、第２ノッチ３８、及び、第３ノッチ４０は全て、同じ軸方向長さを有してもよく、任意の所望のように異なる軸方向長さを有してもよいことは理解されよう。係合開口部３２は、３つのノッチを備えるとして記載されているが、係合開口部３２は、突起部４６に係合するのに適した任意の所望の数のノッチを備えてよいことはさらに理解されよう。例えば、突起部４６が４つのポストを備える場合、係合開口部３２は、対応して４つのノッチを備えてよい。同様に、第３のポスト５６は第１のポスト５２及び第２のポスト５４から軸方向にオフセットされると記載しているが、調整特徴部４６のノッチは全て、同じ軸方向変位量を有してよく、異なる軸方向長さであってよく、かつ、突起部４６が係合開口部３２と噛み合うことができるように、任意のように異なっていてよいことは理解されよう。さらに、突起部４６は、第１のポスト５２、第２のポスト５４、及び、第３のポスト５６を備えるとして記載しているが、突起部４６は、必要に応じてより多いまたは少ないポストを備えてよく、対応する係合開口部３２との係合に適した任意の形態を採ってよいことは理解されよう。例えば、突起部４６は、頂点が第３端部２６の方を向いた三角形状であってもよく、その場合、係合開口部３２も突起部４６に係合する三角形状を有する。
【００１３】
カメラ調整機構１０がカメラハウジング１２に係合すると、肩部３４は、周縁部４８に当接する。肩部３４が周縁部４８と同一平面上になると、係合開口部３２が突起部４６と完全に係合したことを示す。このように、肩部３４は、カメラ調整中、カメラ調整機構１０がカメラ５８と適切に位置合わせされることを確実にする誤り防止特徴部の役目をし、これはカメラが調整後、適切な向きに合わせられることを確実にする。さらに、肩部３４は、第２の部分１６がカメラハウジング１２内に延び得る距離を制限して、カメラ５８またはカメラのいずれの要素にも不注意による損傷が起こらないようにする。
【００１４】
カメラ調整機構１０がカメラハウジング１２と係合すると、カメラ５８は、第２の部分１６を通して延びる。第１の部分１４の第１の壁２２は、カメラ調整機構１０が係合された時、カメラ５８が見ることができる最大視野（ＦＯＶ）を規定する。第１の部分１４によって与えられるＦＯＶは、好ましくは、カメラのＦＯＶより大きい。このように、第１の部分１４を通して与えられるＦＯＶは、好ましくは、約９０度より大きく、より詳細には約９０度と約１１０度の間であるのが好ましい。第１の部分１４を通してより大きいＦＯＶを与えることによって、カメラ調整機構１０がカメラハウジング１２に係合している間、ユーザがカメラ５８のＦＯＶ全体を見ることができるのを確実にし、それによって、より効率の良いカメラの向き合わせが可能になる。これにより、ユーザがカメラ５８を調整する時に、向きを合わせる間、カメラ５８のＦＯＶを確認するために絶えずカメラ調整機構を取り外す必要がない。代わりに、カメラ調整機構１０がカメラハウジング１２に係合している時でさえ、ユーザは、向きを合わせるプロセスの間中、カメラ５８のＦＯＶ全体を見ることができる。
【００１５】
図１Ａは、図１のＡ―Ａの線に沿ったカメラ調整機構１０の断面図である。カメラ調整機構１０は、第１の部分１４と第２の部分１６を含む。第１の部分１４は、第１端部１８と、第２端部２０と、第１の壁２２と、グリップ２４と、を含む。第２の部分１８は、第３端部２６と、第４端部２８と、第２の壁３０と、係合開口部３２と、肩部３４と、を含む。係合開口部３２は、第１ノッチ３６と、第２ノッチ３８と、第３ノッチ４０と、を含む。
【００１６】
グリップ２４は、第１端部１８に沿って周方向に延在する。グリップ２４によって、ユーザは、第１端部１８を容易に把持し、操作することができる。第１の壁２２は、第１端部１８と第２端部２０との間に延在し第１端部１８と第２端部２０とをつないでいる。図示の実施形態においては、第１の壁２２は、第１端部１８の内径が第２端部２０の内径より大きい傾斜した壁である。第２端部２０は、第３端部２６に接続されて、第１の部分１４と第２の部分１６を接続する。第２の壁３０は、第３端部２６と第４端部２８との間に延在し第３端部２６と第４端部２８とをつないでいる。図示のように、第４端部２８は、傾斜した端を含んでよい。肩部３４は、第２の壁３０の外縁に沿って周方向に延在する。係合開口部３２は、第４端部２８に沿って配置される。第１ノッチ３６は、第２の壁３０に沿って第３端部２６の方に延びる。同様に、第２ノッチ３８は、第２の壁３０に沿って第３端部２６の方に延びる。第３ノッチ４０は、第１ノッチ３６と第２ノッチ３８の間に配置され、同様に、第３端部２６の方に第２の壁３０内部に延びる。
【００１７】
係合開口部３２は、突起部４６と噛み合うように構成される（図２で最もよく分かる）。第１ノッチ３６は、第１のポスト５２を受け入れ、第２ノッチ３８は、第２のポスト５４を受け入れ、第３ノッチ４０は、第３のポスト５６を受け入れる。係合開口部３２は、第１ノッチ３６、第２ノッチ３８、及び、第３ノッチ４０を備えるとして記載されているが、係合開口部３２は、ノッチのない長方形の開口部や、共通の係合開口部のない一連のノッチ等、突起部４６と噛み合う任意の適切な形態を採ってよいことは理解されよう。
【００１８】
肩部３４は、第２の壁３０に沿って周方向に延在する。肩部３４は、カメラ調整機構１０が使用される時、周縁部４８（図１に示す）と同一平面上になり、カメラ調整機構１０がカメラ５８の軸Ｃ（図１に示す）に対して垂直に位置合わせされることを確実にする。これにより、肩部３４は、カメラ５８の向きを合わせている間、カメラ調整機構１０が適切に位置合わせされることを確実にする。
【００１９】
第１の壁２２は、傾斜した壁であると好ましい。上記のように、カメラ調整機構１０が係合されると、カメラ５８（図２で最もよく分かる）は、第２の部分１６を通して延びる。従って、第１の壁２２を傾斜させることによって、カメラ調整機構１０が適所にある状態でカメラのＦＯＶが妨げられないようにする。航空機のセキュリティシステムのカメラは、典型的に、約９０度から約１０５度のＦＯＶを有する。従って、第１の部分１４を通したＦＯＶは、約９０度と約１１０度の間であると好ましい。しかしながら、第１の壁２２は、１０５度を超えるＦＯＶを有するカメラのＦＯＶをカメラ調整機構１０が妨げないように、任意に適切なように傾斜させてよいことは理解されよう。
【００２０】
図２は、カメラ調整機構１０とカメラハウジング１２の断面図で、カメラハウジング１２に係合したカメラ調整機構１０を示している。カメラ調整機構１０は、第１の部分１４と第２の部分１６を含む。第１の部分１４は、第１端部１８と、第２端部２０と、第１の壁２２と、グリップ２４と、を含む。第２の部分１８は、第３端部２６と、第４端部２８と、第２の壁３０と、係合開口部３２と、肩部３４と、を含む。係合開口部３２は、第１ノッチ３６と、第２ノッチ３８と、第３ノッチ４０と、を含む。カメラハウジング１２は、内壁４２と、外壁４４と、突起部４６と、周縁部４８と、溝５０（図１に示す）と、を含む。突起部４６は、第１のポスト５２と、第２のポスト５４と、第３のポスト５６と、を含む。
【００２１】
グリップ２４は、第１端部１８の外縁に沿って周方向に延在する。グリップ２４によって、ユーザは、第１端部１８を容易に把持し、操作することができる。第１の壁２２は、第１端部１８と第２端部２０との間に延在し第１端部１８と第２端部２０とをつないでいる。図示の実施形態においては、第１の壁２２は、第１端部１８の内径が第２端部２０の内径より大きい傾斜した壁である。第２端部２０は、第３端部２６に接続されて、第１の部分１４と第２の部分１６を接続する。第２の壁３０は、第３端部２６と第４端部２８との間に延在し第３端部２６と第４端部２８とをつないでいる。肩部３４は、第２の壁３０の外縁に沿って周方向に延在する。係合開口部３２は、第４端部２８に沿って配置される。カメラ調整機構１０は、アルミニウムやアルミニウム合金等の金属材料でできているのが好ましい。しかしながら、カメラ調整機構１０は、カメラハウジング１２に係合し、カメラハウジング１２の向きを調整するために適切な剛性を有する任意の材料で形成されてよいことは理解されよう。
【００２２】
カメラハウジング１２は、開口端を有し、ほぼ半円球形である。突起部４６は、内壁４２に沿って配置される。第１のポスト５２、第２のポスト５４、及び、第３のポスト５６は、それぞれ、内壁４２に取り付けられ、カメラハウジング１２の開口端から軸方向に延在する。カメラハウジング１２は、カメラカップ６０に設置され、カメラカップ６０は、壁パネル６２に取り付けられる。カメラハウジング１２は、複合材料またはプラスチックで形成されるのが好ましい。しかしながら、カメラハウジング１２は、カメラを収容し、カメラの向きを維持する適切な任意の材料で形成されてよいことは理解されよう。
【００２３】
図に示すように、カメラ調整機構１０は、カメラハウジング１２に完全に係合して、カメラ５８のビューの向きを合わせる。カメラ５８は、軸Ｃに沿ってカメラハウジング１２内に配置され、カメラハウジング１２の開口端の方に突出する。カメラハウジング１２は、カメラカップ６０内に摩擦嵌めされる。摩擦嵌めによって、カメラハウジング１２は、デカルト座標系全体にわたって物理的に調整されて、カメラ５８の向きを合わせることができる。カメラカップ６０は、壁パネル６２内に取り付けられる。よって、カメラハウジング１２は、壁パネル６２の外側からは容易にアクセスできない。
【００２４】
カメラハウジング１２の向きは、カメラ調整機構１０を用いて調整される。ユーザは、カメラハウジング１２からレンズキャップを外し、カメラ調整機構１０をカメラハウジング１２内に挿入する。カメラ調整機構１０がカメラハウジング１２と係合すると、係合開口部３２は、突起部４６と噛み合う。第１ノッチ３６が第１のポスト５２を受け入れ、第２ノッチ３８が第２のポスト５４を受け入れ、第３ノッチ４０が第３のポスト５６を受け入れて、各係合開口部３２は、突起部４６と噛み合う。
【００２５】
カメラ調整機構１０がカメラハウジング１２と係合すると、肩部３４は周縁部４８に当接する。肩部３４は、周縁部４８と同一平面上になって、係合開口部３２が突起部４６と完全に係合していることを示す。このように、肩部３４は、カメラ調整中、カメラ調整機構１０が軸Ｃに沿ってカメラ５８と適切に位置合わせされていることを確実にする誤り防止特徴部として働く。カメラ調整機構１０とカメラ５８を位置合わせすることによって、調整後、カメラ５８が適切な向きに合わせられることを確実にする。さらに、肩部３４は、第２の部分１６がカメラハウジング１２内に延び得る距離を制限して、カメラ５８またはカメラ５８のいずれの要素にも不注意による損傷が起こるのを防ぐ。
【００２６】
カメラ調整機構１０がカメラハウジング１２と係合すると、カメラ５８は、第２の部分１６を通して延びる。第１の部分１４の第１の壁２２は、カメラ調整機構１０が係合した時、カメラが見ることができる最大ＦＯＶを規定する。上記のように、第１の壁２２は、カメラ５８がＦＯＶ全体を見ることができるように、傾斜した壁であることが好ましい。第１の部分１４を通してＦＯＶ全体を提供することによって、カメラ調整機構１０がカメラハウジング１２と係合している間、ユーザがカメラ５８のＦＯＶ全体を見ることができるのを確実にする。
【００２７】
カメラ調整機構１０がカメラ５８のＦＯＶを妨げるのを防ぐことによって、カメラ調整機構によってＦＯＶが妨げられるカメラの向きを合わせるのに必要な時間のかかる繰り返しプロセスを除く。カメラの向きの調整中、カメラのＦＯＶを妨げないことによって、ユーザは、カメラの向きを繰り返し調整するために、最初の調整後、カメラ調整機構を取り外し、カメラの新しい向きを確認し、カメラ調整機構を再度取り付け、カメラを再度、調整し、カメラ調整機構を再度、取り外し、カメラの向きを再度確認する必要がない。代わりに、カメラ調整機構１０が適所にある状態で、ユーザは、カメラのＦＯＶ全体を見ることができ、それによって、ユーザは、カメラ調整機構１０を取り外す必要なく素早く、効率よく調整を行って、カメラの新しい向きを確認することができる。
【００２８】
ユーザは、カメラ調整機構１０を操作することによって、デカルト座標系にわたってカメラの向きを調整する。ユーザは、グリップ２４を握り、カメラ調整機構１０を動かすことによって、カメラ５８の向きを調整する。例えば、カメラが回転方向に歪みのあるビューを提示する場合、ユーザは、カメラ調整機構１０をｚ軸を中心に回転させることができ、それに応じて、カメラハウジング１２とカメラも回転する。同様に、カメラが水平方向または垂直方向に歪んだビューを提示する場合、ユーザは、ｘ軸またはｙ軸に沿ってカメラ調整機構１０を押すことができ、それに応じて、カメラハウジング１２及びカメラもｘ軸またはｙ軸に沿って押され、カメラが提示するビューの向きを合わせる。カメラハウジング１２とカメラカップ６０との摩擦嵌めによって、カメラハウジング１２を所望の位置に維持して、カメラ５８から所望のビューを提供する。
【００２９】
図３は、図１の詳細図Ｚを拡大した平面図で、係合開口部３２と、第４端部２８と、第２の壁３０とを示している。係合開口部３２は、第１ノッチ３６と、第２ノッチ３８と、第３ノッチ４０と、を含む。
【００３０】
係合開口部３２は、第４端部２８から第２の壁３０内に延びる。第１ノッチ３６は、第２の壁３０に沿って第３端部２６の方に延びる。同様に、第２ノッチ３８は、第２の壁３０に沿って第３端部２６の方に延びる。第３ノッチ４０は、第１ノッチ３６と第２ノッチ３８との間に配置され、同様に、第２の壁３０内に第３端部２６の方に延びる。図示の実施形態においては、第３ノッチ４０は、第１ノッチ３６及び第２ノッチ３８より軸方向に長い。
【００３１】
係合開口部３２が突起部４６（図１に示す）と噛み合うことによって、カメラ調整機構１０（図１で最もよく分かる）は、カメラハウジング１２（図１に示す）と係合し、カメラハウジング１２の向きを操作することができる。カメラ調整機構１０は、カメラの向きを合わせるように調整されるので、係合開口部３２、第１ノッチ３６、第２ノッチ３８、及び、第３ノッチ４０は、突起部４６（図１に示す）に力を加え、カメラハウジング１２が所望の方向に移動して、カメラを適切な向きにする。
【００３２】
可能な実施形態の検討
以下は、本発明の実施形態を記載したものであるが、これらに限定されない。
【００３３】
カメラ調整機構は、第１の部分と第２の部分を含む。第１の部分は、第１端部と、第２端部と、第１端部と第２端部との間に延在し第１端部と第２端部とをつないでいる第１の壁と、を含み、第１の壁は、第１端部の内径が第２端部の内径より大きくなるように傾斜している。第２の部分は、第２端部に接続される第３端部と、第４端部と、第３端部と第４端部の間に延在し第３端部と第４端部とをつないでいる第２の壁と、第４端部に沿って延びる複数の係合開口部と、を含む。
【００３４】
前の段落のカメラ調整機構は、さらに、及び／または、代わりに、以下の特徴、構成、及び／または、追加の構成要素の任意の１つまたは複数を含んでもよいが、任意である。
【００３５】
複数の係合開口部のそれぞれは、第４端部から第３端部の方に延びる第１ノッチと、第４端部から第３端部の方に延びる第２ノッチと、第４端部から第３端部の方に延びる第３ノッチと、を含み、第３ノッチは、第１ノッチと第２ノッチとの周方向の間に配置される。
【００３６】
第３ノッチは、第１ノッチまたは第２ノッチのいずれかの軸方向長さより長い軸方向長さを有する。
【００３７】
第４端部は、傾斜した端を含む。
【００３８】
第１の部分を通した視野は、約９０度と約１１０度の間である。
【００３９】
第１端部に沿って周方向に配置された複数のグリップ。
【００４０】
第２の壁の外縁に沿って周方向に配置された肩部。
【００４１】
航空機監視システムであって、航空機の客室内に取り付けられた少なくとも１つのカメラカップと、少なくとも１つのカメラカップ内に移動可能に配置された少なくとも１つのカメラハウジングであって、内面と、外面と、周縁部と、内面に沿って配置された複数の突起部とを備える少なくとも１つのカメラハウジングと、少なくとも１つのカメラハウジング内に取り付けられた少なくとも１つのカメラと、少なくとも１つのカメラの視野の向きを合わせることができるカメラ調整機構であって、第１端部と、第２端部と、第１端部と第２端部との間に延在し第１端部と第２端部とをつないでいる第１の壁と、を含む第１の部分と、第３端部であって、第２端部に接続される第３端部と、第４端部と、第４端部に沿って延びる複数の係合開口部であって、複数の突起部と係合するように構成された係合開口部と、を含む第２の部分とを含むカメラ調整機構と、を備える、航空機監視システム。
【００４２】
前の段落の航空機監視システムは、さらに、及び／または、代わりに、以下の特徴、構成、及び／または、追加の構成要素の任意の１つまたは複数を含んでもよいが、任意である。
【００４３】
複数の突起部のそれぞれは、第１のポストと、第２のポストと、第１のポストと第２のポストとの間に配置された第３のポストであって、第１のポストまたは第２のポストのいずれかより長い軸方向長さを有する第３のポストと、を含む。
【００４４】
複数の係合開口部のそれぞれは、第２の遠位端から第２の近位端の方に延びる第１ノッチと、第２の遠位端から第２の近位端の方に延びる第２ノッチと、第２の遠位端から第２の近位端の方に延びる第３ノッチであって、第１ノッチと第２ノッチの周方向の間に配置された第３ノッチと、を備える。
【００４５】
複数の係合開口部は複数の突起部と噛み合う。
【００４６】
第１の壁は傾斜した壁である。
【００４７】
第１端部の内径は、第２端部の内径より大きい。
【００４８】
カメラ調整機構が少なくとも１つのカメラハウジングと係合する時、第１の部分を通した少なくとも１つのカメラの視野は、約９０度より大きい。
【００４９】
カメラ調整機構が少なくとも１つのカメラハウジングと係合する時、第１の部分を通した少なくとも１つのカメラの視野は、約９０度と約１１０度の間である。
【００５０】
肩部は、第２の壁の外縁に沿って周方向に配置される。
【００５１】
監視システムのカメラの向きを調整する方法は、カメラの最初の向きを確認することと、カメラ調整機構の遠位端に沿って配置された複数の係合ノッチと、カメラハウジングの内面に沿って配置された複数の係合ポストを位置合わせすることと、複数の係合ノッチを複数の係合ポストに噛み合わせることと、カメラの最初の向きを所望のカメラの向きに調整することと、を含む。
【００５２】
前の段落の方法は、さらに、及び／または、代わりに、以下の特徴、構成、及び／または、追加の構成要素の任意の１つまたは複数を含んでもよいが、任意である。
【００５３】
カメラの垂直方向または水平方向の位置合わせを確認すること、及び、カメラの回転方向の位置合わせを確認すること。
【００５４】
カメラ調整機構を垂直方向または水平方向に移動させて、カメラの垂直方向及び水平方向の位置合わせを補正すること、及び、カメラ調整機構をカメラの軸を中心に回転させて、カメラの回転方向の位置合わせを補正すること。
【００５５】
例示の実施形態に関して発明を記載したが、発明の範囲を逸脱することなく、様々な変更を行ってよいこと、及び、同等物で発明の要素を置き換えてよいこと、を当業者は理解されよう。さらに、発明の必須の範囲を逸脱することなく、発明の教示に特定の状況または材料を適合して多くの修正が行われてよい。従って、発明は、開示した特定の実施形態に限定されず、請求項の範囲に該当する全ての実施形態を含む。
【図１】
0006719964.tif 000002
【図１Ａ】
0006719964.tif 000003
【図２】
0006719964.tif 000004
【図３】
0006719964.tif 000005